(57)【要約】【課題】部品点数の少数化や構成の簡易化などを適切に図りながらも、ロウ付け以外の接合方法を適用可能とし、容易かつ低コストに製造することが可能な熱交換器を提供する。【解決手段】複数の伝熱管１を内部に収容するケース２と、複数の伝熱管１への入水用または出湯用のヘッダ３と、を備えており、ケース２の側壁部２１には、ケース２の外方に向けて膨出する筒状の周壁部２２ａ、およびこの周壁部２２ａの先端部を塞ぐ先端壁部２２ｂを有する膨出部２２が形成されている、熱交換器ＨＥであって、各伝熱管１の端部は、膨出部２２の先端壁部２２ｂに形成された貫通孔２２ｃに挿入されて先端壁部２２ｂに接合されており、ヘッダ３は、膨出部２２に対応した開口部３２を形成する開口縁部３３を有する内部空洞状とされ、かつ開口縁部３３は、膨出部２２の周壁部２２ａに外嵌されている。【選択図】  図３
2014070844.tif 000002
【特許請求の範囲】
【請求項１】
複数の伝熱管を内部に収容するケースと、前記複数の伝熱管への入水用または出湯用のヘッダと、を備えており、
前記ケースの側壁部には、前記ケースの外方に向けて膨出する筒状の周壁部、およびこの周壁部の先端部を塞ぐ先端壁部を有する膨出部が形成されている、熱交換器であって、
前記複数の伝熱管の端部は、前記膨出部の先端壁部に形成された貫通孔に挿通されて前記先端壁部に接合されており、
前記ヘッダは、前記膨出部に対応した開口部を形成する開口縁部を有する内部空洞状とされ、かつ前記開口縁部は、前記膨出部の周壁部に外嵌されていることを特徴とする、熱交換器。
【請求項２】
請求項１に記載の熱交換器であって、
前記膨出部の筒状の周壁部は、前記膨出部の先端側に進むほど外形寸法が小さくなるように傾斜した傾斜部を有し、
前記ヘッダの前記開口縁部は、前記傾斜部の外面に当接し、かつこの当接部分において前記ヘッダと前記傾斜部との接合が図られている、熱交換器。
【請求項３】
請求項１または２に記載の熱交換器であって、
前記ヘッダのうち、前記開口縁部の外周には、前記開口縁部の外方に向けて突出したフランジ部が一体的に形成されている、熱交換器。
【請求項４】
請求項１ないし３のいずれかに記載の熱交換器であって、
前記膨出部の筒状の周壁部は、前記周壁部の両端に位置する略半円筒状の左右一対の端部領域と、これら一対の壁部領域どうしの間に位置してそれらを繋ぐ上下一対の中間領域とを有し、
これら一対の中間領域のそれぞれは、その正面視において外側に膨らむように湾曲した形態とされている、熱交換器。
【請求項５】
請求項１ないし４のいずれかに記載の熱交換器を製造するための方法であって、
複数の伝熱管と、
これら複数の伝熱管を収容するためのケースの一部を構成し、かつ前記ケースの外方に向けて膨出する筒状の周壁部、およびこの周壁部の先端部を塞ぐ先端壁部を有する膨出部が形成されているケースの側壁部と、
前記膨出部に対応した開口部を形成する開口縁部を有する内部空洞状のヘッダと、
を準備しておき、
前記膨出部の先端壁部に複数の伝熱管を貫通させ、かつこれら複数の伝熱管を前記膨出部に溶接する工程と、
この工程の後に、前記膨出部の周壁部に前記ヘッダの開口縁部を外嵌させ、かつこの開口縁部を前記ケースの側壁部に溶接する工程と、
を有していることを特徴とする、熱交換器の製造方法。
【発明の詳細な説明】
【技術分野】
【０００１】
本発明は、複数の伝熱管がケース内に収容されたタイプの熱交換器、およびその製造方法に関する。
【背景技術】
【０００２】
本出願人は、この種の熱交換器の一例として、特許文献１に記載のものを先に提案している。
同文献に記載の熱交換器は、複数の伝熱管を収容するケースの側壁部の一部をケースの外方に膨出させており、この膨出部を入水用または出湯用のヘッダとして構成している。前記膨出部をヘッダとするための具体的な手段として、複数の伝熱管の端部が貫通するように設定された補助部材を利用し、この補助部材を前記膨出部の内側に接合することによって、前記膨出部の内部と前記ケースの内部との間を仕切っている。
このような構成によれば、ヘッダがケースの側壁部に一体化して設けられているために、部品点数の少数化や全体の小型化を図ることが可能である。また、前記膨出部は、ケースの外方に向けて膨出しているために、たとえば特許文献２とは異なり、ケース内のスペースが狭くなって、伝熱管の配置に大きな制約を受けるといった不具合も回避することができる。
【０００３】
しかしながら、前記従来技術においては、次のように、未だ改善すべき余地があった。
【０００４】
すなわち、前記膨出部の内側には、補助部材を接合する必要があるが、その接合箇所は、ケースの内側に位置することとなる。したがって、前記の箇所の接合手段として、溶接を用いることは難しく、ロウ付けする必要が生じる。ところが、ロウ付けを行なうには、真空炉などの大掛りな設備が必要であるため、その設備コストが高くなる結果、熱交換器の製造コストも高くなる不具合を生じる。また、ケースの内側部分においてロウ付けを行なったのでは、ロウ付けが適正であるか否かの検査も難しいものとなる。したがって、品質管理の面でやや難点がある。
なお、従来においては、特許文献１とは異なり、溶接手段を利用して製造可能な熱交換器は存在するものの、そのような熱交換器は、部品点数が多く、構造が複雑なものとなっている場合が多い。このため、その製造コストはやはり高価なものとなっている。
【先行技術文献】
【特許文献】
【０００５】
【特許文献１】特開２０１２−２４６４号公報
【特許文献２】特開２００９−１６２４６１号公報
【発明の概要】
【発明が解決しようとする課題】
【０００６】
本発明は、前記したような事情のもとで考え出されたものであり、部品点数の少数化や構成の簡易化などを適切に図りながらも、ロウ付け以外の接合方法を適用可能とし、容易かつ低コストに製造することが可能な熱交換器、およびその製造方法を提供することを、課題としている。
【課題を解決するための手段】
【０００７】
上記の課題を解決するため、本発明では、次の技術的手段を講じている。
【０００８】
本発明の第１の側面により提供される熱交換器は、複数の伝熱管を内部に収容するケー
スと、前記複数の伝熱管への入水用または出湯用のヘッダと、を備えており、前記ケースの側壁部には、前記ケースの外方に向けて膨出する筒状の周壁部、およびこの周壁部の先端部を塞ぐ先端壁部を有する膨出部が形成されている、熱交換器であって、前記複数の伝熱管の端部は、前記膨出部の先端壁部に形成された貫通孔に挿入されて前記先端壁部に接合されており、前記ヘッダは、前記膨出部に対応した開口部を形成する開口縁部を有する内部空洞状とされ、かつ前記開口縁部は、前記膨出部の周壁部に外嵌されていることを特徴としている。
【０００９】
このような構成によれば、次のような効果が得られる。
すなわち、複数の伝熱管をケースの側壁部の膨出部に接合する作業は、ケースの外部において行なうことができる。また、前記膨出部に嵌合させたヘッダをケースの側壁部に接合する作業についても、ケースの外部において行なうことができる。したがって、前記した接合作業は、ロウ付けに代えて、たとえば溶接により行なうことが可能となる。その結果、ロウ付け用の大掛りな設備をもたないメーカなどであっても、本発明に係る熱交換器を容易かつ廉価に製造することが可能となる。また、ロウ付け手段を用いて熱交換器を製造することも可能であるが、ロウ付け箇所はケースの外部に位置することとなるため、ロウ付け後の検査なども容易となる利点が得られる。
一方、本発明では、全体の部品点数が少なく、全体の構成を簡素にすることができる。また、膨出部へのヘッダの組み付け方式として、嵌合方式を採用しているために、組み立て作業性もよい。したがって、熱交換器の製造コストをより低減することが可能である。
【００１０】
本発明において、好ましくは、前記膨出部の筒状の周壁部は、前記膨出部の先端側に進むほど外形寸法が小さくなるように傾斜した傾斜部を有し、前記ヘッダの前記開口縁部は、前記傾斜部の外面に当接し、かつこの当接部分において前記ヘッダと前記傾斜部との接合が図られている。
【００１１】
このような構成によれば、ヘッダの開口縁部を膨出部の周壁部に外嵌させる際に、この周壁部に設けられている傾斜部の外面に対し、開口縁部を積極的に押し当てることが可能となる。したがって、そのような押し当て部分には隙間を生じ難くし、湯水漏れなどを防止するのに好ましいものとなる。加えて、前記構成によれば、ヘッダの開口縁部と膨出部の周壁部との嵌合長さを短くすることもできる。ヘッダの開口縁部と膨出部の周壁部とが嵌合する部分においては、それら両部材に挟まれた微小な隙間に、ヘッダ内の湯水が流入して滞留したままとなる虞が強く、この部分に腐食（隙間腐食）を生じ易くなる。これに対し、前記した嵌合長さを短くすることができれば、前記した隙間腐食を生じ難くする効果が得られる。
【００１２】
本発明において、好ましくは、前記ヘッダのうち、前記開口縁部の外周には、前記開口縁部の外方に向けて突出したフランジ部が一体的に形成されている。
【００１３】
このような構成によれば、ヘッダの開口縁部の外周にフランジ部が一体的に形成されていることにより、開口縁部の外形寸法を正確に規定することができ、開口縁部と膨出部との間に隙間を一層生じ難くすることができる。また、開口縁部を膨出部に溶接する際には、フランジ部を溶加棒として役立たせることも可能となる。
【００１４】
本発明において、好ましくは、前記膨出部の筒状の周壁部は、前記周壁部の両端に位置する略半円筒状の左右一対の端部領域と、これら一対の壁部領域どうしの間に位置してそれらを繋ぐ上下一対の中間領域とを有し、これら一対の中間領域のそれぞれは、その正面視において外側に膨らむように湾曲した形態とされている。
【００１５】
このような構成によれば、膨出部の筒状の周壁部の全周が、外側に膨らむように湾曲し
た部分によって形成されることとなる。このため、周壁部にヘッダの開口縁部が外嵌されて力が加わった際に、前記周壁部が変形（たとえば、部分的な凹みが発生し、いわゆる波うち状態となる変形）を生じ難くなる効果が得られる。その結果、膨出部とヘッダの開口縁部との嵌合部分に隙間をより生じ難くし、またそれらの部分に安定的に溶接などを施すことが可能となる。
【００１６】
本発明の第２の側面により提供される熱交換器の製造方法は、本発明の第１の側面により提供される熱交換器を製造するための方法であって、複数の伝熱管と、これら複数の伝熱管を収容するためのケースの一部を構成し、かつ前記ケースの外方に向けて膨出する筒状の周壁部、およびこの周壁部の先端部を塞ぐ先端壁部を有する膨出部が形成されているケースの側壁部と、前記膨出部に対応した開口部を形成する開口縁部を有する内部空洞状のヘッダと、を準備しておき、前記膨出部の先端壁部に複数の伝熱管を貫通させ、かつこれら複数の伝熱管を前記膨出部に溶接する工程と、この工程の後に、前記膨出部の周壁部に前記ヘッダの開口縁部を外嵌させ、かつこの開口縁部を前記ケースの側壁部に溶接する工程と、を有していることを特徴としている。
このような構成によれば、本発明が意図する熱交換器を容易かつ適切に製造することができる。
【００１７】
本発明のその他の特徴および利点は、添付図面を参照して以下に行なう発明の実施の形態の説明から、より明らかになるであろう。
【図面の簡単な説明】
【００１８】
【図１】本発明に係る熱交換器の一例を示す外嵌斜視図である。
【図２】（ａ）は、図１のIIa−IIa断面図であり、（ｂ）は、（ａ）のIIb−IIb断面図である。
【図３】（ａ）は、図２（ｂ）の要部拡大断面図であり、（ｂ）は、（ａ）の要部拡大断面図である。
【図４】図３（ａ）に示す構造の分解断面図である。
【図５】図１に示す熱交換器に設けられた膨出部の要部正面図である。
【図６】図５に示す構成との対比例を示す要部正面図である。
【図７】（ａ）〜（ｃ）は、図１に示す熱交換器のヘッダの製造工程を模式的に示す断面図である。
【図８】図７に示した工程との対比例を示す断面図である。
【発明を実施するための形態】
【００１９】
以下、本発明の好ましい実施の形態について、図面を参照して具体的に説明する。
【００２０】
図１および図２に示す熱交換器ＨＥは、たとえばガスバーナなどのバーナ（図示略）によって発生された燃焼ガスから熱回収を行なって湯水加熱を行なう用途に好適なものであり、たとえば給湯装置の潜熱回収用の熱交換器として利用される。
この熱交換器ＨＥは、ケース２と、このケース２内に収容された複数の伝熱管１と、これら複数の伝熱管１の下端部および上端部に繋がった入水用および出湯用の一対のヘッダ３（３Ａ，３Ｂ）とを具備している。
【００２１】
複数の伝熱管１は、平面視長円状の複数の螺旋状管体を利用して構成されている。これら複数の螺旋状管体は、互いにサイズが異なっており、略同心の重ね巻き状に配されている。各伝熱管１の下部および上部は、略水平に延びる直状管体部１０ａ，１０ｂとされている。図２（ｂ）においては、ケース２内のうち、伝熱管１の上方および下方の隙間が大きく示されているが、好ましくは、これらの隙間はできる限り小さくされる。前記隙間を小さくするための手段としては、たとえば上壁部２０ａおよび下壁部２０ｂに、伝熱管１
に向けて突出する段部（図示略）を形成する手段を用いることができる。
【００２２】
ケース２は、略直方体状であり、このケース２の本体部２０（矩形筒状の胴体部）に加え、一対の側壁部２１，２２を有している。本体部２０および側壁部２１，２２のそれぞれは、たとえばステンレスなどの金属板を用いて構成されている。ケース２の後壁部２０ｃおよび前壁部２０ｄには、燃焼ガス用の給気口２５および排気口２６が設けられている。給気口２５からケース２内に流入した燃焼ガスは複数の伝熱管１の隙間を通過した後に排気口２６に到達するが、その過程において前記燃焼ガスから各伝熱管１により熱回収がなされ、各伝熱管１内を流通する湯水が加熱される。
【００２３】
ケース２の側壁部２１には、２つの膨出部２２が形成されている。各膨出部２２は、側壁部２１にプレス加工を施すことにより形成されたものであり、図３によく表われているように、ケース２の外方に向けて膨出する筒状の周壁部２２ａ、およびこの周壁部の先端部を塞ぐ先端壁部２２ｂを有している。複数の伝熱管１は、先端壁部２２ｂに設けられた複数の貫通孔２２ｃに挿入され、かつ先端壁部２２ｂに溶接されている。各伝熱管１の端部が、先端壁部２２ｂを貫通してケース２の外部に引き出された状態（図示された状態）において、各伝熱管１の端部に溶接を施すと、この端部は溶加棒の代わりに溶融され、先端壁部２２ｂと略面一状となる。
【００２４】
膨出部２２の筒状の周壁部２２ａは、この膨出部２２の先端側に進むほど周壁部２２ａの外形寸法が小さくなるように傾斜した傾斜部２２a'と、この傾斜部２２a'の先端部に繋がった非傾斜部２２a"とを有している。非傾斜部２２a"は、膨出部２２の膨出方向において周壁部２２ａの外形寸法が一定の部分である。膨出部２２の正面視形状は、たとえば図５に示すような形態である。同図に示すように、膨出部２２の周壁部２２ａは、その両端に位置する略半円筒状の左右一対の端部領域Ａ１と、これら一対の端部領域Ａ１どうしの間に位置してそれらを繋ぐ上下一対の中間領域Ａ２，Ａ３とを有している。ここで、上側の中間領域Ａ２は上側に湾曲し、かつ下側の中間領域Ａ３は、下側に湾曲しており、これらはともに外側に膨らんだ形態とされている。このことの作用については後述する。
【００２５】
ヘッダ３は、側壁部２１とは別部材を用いて構成されており、図３および図４によく表われているように、膨出部２２に対応した開口部３２を形成する開口縁部３３を前面側に有する内部空洞状の本体部３０と、この本体部３０の後面側に連結された継手用管体部３１とを有している。開口縁部３３の外周には、開口縁部の外方に向けて短寸で突出したフランジ部３４が一体的に形成されており、開口縁部３３の内周には、適当な曲率半径Ｒａの曲面部３５が形成されている。
【００２６】
ヘッダ３の開口縁部３３は、膨出部２２の周壁部２２ａに外嵌されている。この外嵌に際しては、開口縁部３３の先端部内周の曲面部３５が、周壁部２２ａの傾斜部２２a'の外面に当接するようにしてなされている。この当接部分にヘッダ３と膨出部２２とを接合するための溶接が施されている。ヘッダ３を膨出部２２に外嵌した結果、ヘッダ３の開口部３２は、膨出部２２の先端壁部２２ｂによって塞がれる。このことにより、ヘッダ３内のうち、先端壁部２２ｂよりもケース２の外方側の領域は、各伝熱管１の内部に連通した湯水流通用のチャンバ３６となっている。
【００２７】
前記した熱交換器ＨＥは、たとえば次のような方法で製造される。
【００２８】
まず、前記した構成の複数の伝熱管１、ケース２、およびヘッダ３を準備する。
ヘッダ３の本体部３０については、たとえば図７に示すような工程で製造する。すなわち、同図（ａ）に示すように、まず原材料となる平板状の金属板Ｐに対し、深絞り加工を施す。このことにより、同図（ｂ）に示すように、平板部３４Ａに繋がったヘッダ中間品
３０’を形成する。その後、同図の仮想線Ｌ１の位置で平板部３４Ａを円形状に打ち抜く。すると、同図（ｃ）に示すように、短寸のフランジ部３４を有するヘッダ３の本体部３０を製造することができる。この本体部３０に、継手用管体部３１を溶接することにより、ヘッダ３が完成する。
【００２９】
図８は、図７との対比例を示している。図８の製造方法においては、ヘッダ中間品３０’を仮想線Ｌ２の位置で切断しており、平板部３４Ａが完全に除去されたヘッダが形成されることとなる。深絞り加工によって形成された深絞り成形部３９と平板部３４Ａとの境界部分Ｂ１については、寸法精度を高くすることが可能であるが、図８の製造方法によれば、そのような部分がヘッダに残存しないこととなる。これに対し、図７の製造方法によれば、寸法精度が高い境界部分Ｂ１をもつヘッダ３が得られる。なお、本発明においては、図８の製造方法により製造されたヘッダを用いてもよい。
【００３０】
熱交換器ＨＥを組み立てるには、図４に示すように、まずケース２の側壁部２１の膨出部２２に複数の伝熱管１を貫通させ、側壁部２１の外方に各伝熱管１の端部を引き出す。その後、各伝熱管１のうち、先端壁部２２ｂに隣接する部分の全周を先端壁部２２ｂに溶接するが、この溶接は、符号Ｗ１で示すように、側壁部２１の外方（ケース２の外方）において行なうことができる。既述したように、その際には、伝熱管１の端部を溶加棒として利用することが可能である。
【００３１】
次いで、ヘッダ３の開口縁部３３を、膨出部２２の周壁部２２ａに外嵌させる。その後は、図３に示すように、たとえばＴＩＧ溶接トーチ９を利用し、開口縁部３３の全周を周壁部２２ａにＴＩＧ溶接する。この溶接も、ケース２の外方において行なうことができる。前記した一連の作業は、側壁部２１をケース２の本体部２０に接合していない状態で行なうことが可能であり、側壁部２１にヘッダ３を溶接した後に、複数の伝熱管１をケース２の本体部２０内に収容させるようにして側壁部２１を本体部２０の側部に組み付ければよい。この組み付けに際しては、本体部２０に形成されている側部開口に側壁部２１を嵌入し、この嵌合部分に溶接を施せばよい。もちろん、これとは異なり、側壁部２１を本体部２０に組み付けた後に、この側壁部２１の膨出部２２にヘッダ３を組み付けるといった作業順序にすることもできる。
【００３２】
本実施形態によれば、次のような作用が得られる。
【００３３】
まず、既述したように、熱交換器ＨＥを組み立てて製造する際の各構成部材どうしの接合は溶接手段を用いて簡単に行なうことができる。よって、ロウ付け用の設備は不要とすることができる。また、溶接箇所は、ケース２の外方位置とすることが可能であるため、溶接後において、その接合が適正でるか否かの確認も容易となる。一方、熱交換器ＨＥの部品点数は少なく、全体の構成は簡素である。膨出部２２に対するヘッダ３の組み付けは、嵌合方式を採用しているために、組み立て作業性もよい。このようなことから、熱交換器ＨＥの製造コストを低減することができる。
【００３４】
ヘッダ３を膨出部２２の周壁部２２ａに外嵌するための構造として、周壁部２２ａには、先細状となる傾斜部２２a'を形成し、その外面にヘッダ３の開口縁部３３を当接させているが、このような構成によれば、開口縁部３３の先端部を傾斜部２２a'の外面に対して積極的に押し付けることができる。また、傾斜部２２a'に当接する開口縁部３３は、図７を参照して説明したように、寸法精度を高く設定できる部分（平板部３４Ａと本体部３０との境界部分Ｂ１）であり、しかもその内周面は、所定の曲率半径Ｒａの曲面部３５であるために、この曲面部３５を傾斜部２２a'の外面に対して隙間を生じないように密接させることが可能となる。さらに、開口縁部３３には短寸のフランジ部３４が設けられているが、このフランジ部３４は、開口縁部３３にＴＩＧ溶接を施す際の溶加棒として利用する
ことができる。このようなことから、開口縁部３３と膨出部２２の周壁部２２ａとを、隙間のないシール性の高い状態に接合することができる。したがって、チャンバ３６内の湯水が外部に漏出することを確実に防止する上で相当に好ましいものとなる。さらに、傾斜部２２a'を設けることにより、ヘッダ３と周壁部２２との溶接位置を、側壁部２１の平面部分から離れた位置に規制することができるので、傾斜部２２a'を設けていない場合と比べて、溶接時の平面部分への熱影響を抑制することができ、側壁部２１が歪む問題を回避し易くなる。
【００３５】
膨出部２２の周壁部２２ａには、既述したように、傾斜部２２a'が設けられているが、このように傾斜部２２a'を設けると、その分だけ、非傾斜部２２a"の寸法（図３（ｂ）の左右方向の幅）を短くし、膨出部２２とヘッダ３との嵌合寸法を短くすることができる。膨出部２２とヘッダ３との嵌合箇所においては、それらの部材によって挟まれた微小な隙間（符号ｎ１で示す部分）を生じる。この部分には、チャンバ３６内の湯水が流入して滞留することに起因し、いわゆる隙間腐食を生じ易い。これに対し、本実施形態では、非傾斜部２２a"の寸法を短くし、前記したような腐食隙間を生じ易い領域が広範囲に形成されないようにすることが可能である。
【００３６】
膨出部２２の周壁部２２ａは、図５を参照して説明したように、左右一対の端部領域Ａ１と、上下一対の中間領域Ａ２，Ａ３がいずれも外側に膨らむように湾曲した形態であるために、この部分にヘッダ３の開口縁部３３が外嵌されて力が加えられた際に、周壁部２２ａが不当に変形することが抑制される。図６は、本実施形態との対比例を示している。図６に示す膨出部２２Ａにおいては、上下一対の中間領域Ａ２，Ａ３が正面視においてストレートである。このような形態では、膨出部２２に力が加わった際に、中間領域Ａ２，Ａ３が内側方向（矢印Ｎ１方向）に凹み変形を生じ易く、ヘッダ３の組み付け時において波うった状態となり易い。これでは、溶接が不適切になる虞がある。これに対し、図５に示した本実施形態の構成によれば、そのような不具合を生じ難くすることが可能である。ただし、本発明においては、膨出部として、図６に示したような膨出部２２Ａを採用してもよい。
【００３７】
上記の例では、接合手段として溶接を用いたが、ロウ付けを用いることもできる。ロウ付けを用いる場合の利点として、フランジ部３４を設けることによるロウ材の塗布作業性の向上（フランジ部３４をガイドとする）、およびヘッダ３自体の強度向上が図られる。また、周壁部２２ａに傾斜部２２a'を設けることによる利点として、隙間が小さくなることによるロウ付け性の向上が図られる。
【００３８】
本発明は、上述した実施形態の内容に限定されない。本発明に係る熱交換器の各部の具体的な構成は、本発明の意図する範囲内で種々に設計変更自在である。また、本発明に係る熱交換器の製造方法の各工程の具体的な構成も、種々に変更自在である。
【００３９】
本発明でいう膨出部は、ケースの側壁部からケース外方に向けて膨出する筒状の周壁部と、この周壁部の先端部を塞ぐ先端壁部とを有する形態であればよく、その具体的な膨出寸法などは限定されない。伝熱管は、螺旋状管体を利用したものでなくてもよく、これ以外の種々の伝熱管（たとえば、直状管、Ｕ字管、蛇行状のフレキシブル管など）を用いることができる。
【００４０】
本発明においては、熱交換器に複数のヘッダが設けられる場合に、これら複数のヘッダの全てが本発明の意図する構成とされることが好ましいものの、やはりこれに限定されない。たとえば複数のヘッダのうち、一部のヘッダのみが本発明の意図する構成とされ、これ以外の他のヘッダが本発明の意図する構成ではない場合であっても、本発明の技術的範囲に包摂される。ケース内に流入される熱交換対象媒体としては、燃焼ガス以外の流体と
することができる。本発明に係る熱交換器は、潜熱回収用に限らないことは勿論のこと、湯水加熱用途以外の種々の用途に用いることができる。
【符号の説明】
【００４１】
ＨＥ  熱交換器
Ａ１  端部領域（膨出部の周壁部の）
Ａ２，Ａ３  中間領域（膨出部の周壁部の）
１  伝熱管
２  ケース
３（３Ａ，３Ｂ）  ヘッダ
２１  側壁部（ケースの）
２２  膨出部
２２ａ  周壁部（膨出部の）
２２a' 傾斜部(周壁部の)
２２ｂ  先端壁部（膨出部の）
２２ｃ  貫通孔
３２  開口部（ヘッダの）
３３  開口縁部（ヘッダの）
３４  フランジ部（ヘッダの）
【図１】
2014070844.tif 000003
【図２】
2014070844.tif 000004
【図３】
2014070844.tif 000005
【図４】
2014070844.tif 000006
【図５】
2014070844.tif 000007
【図６】
2014070844.tif 000008
【図７】
2014070844.tif 000009
【図８】
2014070844.tif 000010